(57)【要約】【課題】表示装置と発音装置の設置スペースを小さくし、複雑なメンテナンスおよび表示と音声の解離に伴う混乱を低減するエレクトロルミネッセンスパネルシステムおよびエレクトロルミネッセンスパネルを提供すること。【解決手段】情報を表示あるいは照光の少なくともいずれか一方を可能にするための表示部２０、および、音声を出力する音声出力部（２０、４０）を有するエレクトロルミネッセンスパネル部１と、表示部２０および音声出力部（２０、４０）のうち少なくとも１つを動作させるための制御部２００と、を有するエレクトロルミネッセンスパネルシステム１００としている。【選択図】図１
2009301431.tif 000002
【特許請求の範囲】
【請求項１】
情報を表示あるいは照光の少なくともいずれか一方を可能にするための表示部、および、音声を出力する音声出力部を有するエレクトロルミネッセンスパネル部と、
上記表示部および上記音声出力部のうち少なくとも１つを動作させるための制御部と、
を有することを特徴としたエレクトロルミネッセンスパネルシステム。
【請求項２】
前記音声出力部と前記表示部を重ねて配置すると共に、
前記音声出力部の駆動部分を前記表示部の裏面に接触するように構成したことを特徴とする請求項１に記載のエレクトロルミネッセンスパネルシステム。
【請求項３】
前記エレクトロルミネッセンスパネルシステムは、光、ガス、煙、温度変化、振動、あるいは液状体の少なくとも１つを検出するセンサ部を有し、
前記制御部は、上記センサ部の検出をトリガとして、エレクトロルミネッセンスパネル部を制御することを特徴とする、請求項１または請求項２に記載のエレクトロルミネッセンスパネル。
【請求項４】
前記制御部は、表示、照明および音声のうち少なくとも２つ以上が連動して作動するように制御することを特徴とする請求項１から請求項３のいずれか１項に記載のエレクトロルミネッセンスパネルシステム。
【請求項５】
移動手段に搭載されることを特徴とする、請求項１から請求項４のいずれか１項に記載のエレクトロルミネッセンスパネルシステム。
【請求項６】
前記制御部は、前記表示部および／または前記音声出力部に信号を送り、注意喚起あるいは誘導案内するように制御することを特徴とする、請求項１から請求項５のいずれか１項に記載のエレクトロルミネッセンスパネルシステム。
【請求項７】
前記表示部に、非常時誘導表示部を含むことを特徴とする、請求項１から請求項６のいずれか１項に記載のエレクトロルミネッセンスパネルシステム。
【請求項８】
情報を表示あるいは照光の少なくともいずれか一方を可能にするための表示部と、
音声を出力するための音声出力部を有すると共に、
制御部により、上記表示部および上記音声出力部のうち少なくとも１つを動作させるように制御されることを特徴とする、エレクトロルミネッセンスパネル。
【発明の詳細な説明】
【技術分野】
【０００１】
本発明は、エレクトロルミネッセンスパネルシステムおよびエレクトロルミネッセンスパネルに関する。
【背景技術】
【０００２】
従来、避難口を表示する表示装置が、非常時に避難口まで人々を誘導するために用いられている。さらに、音声により人々を非常口まで誘導できるように、スピーカ等による発音装置を別に設置する場合がある（例えば、特許文献１参照。）。また、その表示装置として有機エレクトロルミネッセンスパネルを用いるものがある。
【０００３】
【特許文献１】特開２００２−４８５５９号公報（請求項１等）
【発明の開示】
【発明が解決しようとする課題】
【０００４】
しかし、上述の方法には以下の問題がある。それは、表示装置と発音装置が分離しているため、表示装置の設置場所および発音装置の設置場所の両方が必要となり、大きな設置スペースが必要であるという問題である。また、別々に設置された表示装置と発音装置との配線、制御およびメンテナンスが複雑になるという問題がある。
【０００５】
さらに、上述の表示装置と発音装置とが分離しているため、表示装置と発音装置とが離れた場所に設置されてしまう場合がある。たとえば、壁の強度が重量物の固定に適さないような壁に表示装置と発音装置とを設置したい場合には、表示装置と発音装置とを離れた場所に設置する必要が生じる。このように、表示装置と発音装置とが離れた場所に設置される場合には、誘導表示と音声案内が解離して混乱を招くという問題を生じることがある。
【０００６】
そこで、本発明は、上記課題を解決すること、すなわち、表示装置と発音装置の設置スペースを小さくし、複雑なメンテナンスおよび表示と音声の解離に伴う混乱を低減するエレクトロルミネッセンスパネルシステムおよびエレクトロルミネッセンスパネルを提供することを目的とする。
【課題を解決するための手段】
【０００７】
かかる目的を達成するため、情報を表示あるいは照光の少なくともいずれか一方を可能にするための表示部、および、音声を出力する音声出力部を有するエレクトロルミネッセンスパネル部と、表示部および音声出力部のうち少なくとも１つを動作させるための制御部と、を有するエレクトロルミネッセンスパネルシステムとしている。
【０００８】
また、別の発明では、上述の発明に加えて、音声出力部と表示部を重ねて配置すると共に、音声出力部の駆動部分を表示部の裏面に接触するように構成したものとしている。
【０００９】
また、別の発明では、上述の発明に加えて、エレクトロルミネッセンスパネルシステムは、光、ガス、煙、温度変化、振動、あるいは液状体の少なくとも１つを検出するセンサ部を有し、制御部は、センサ部の検出をトリガとして、エレクトロルミネッセンスパネル部を制御するものとしている。
【００１０】
また、別の発明では、上述の発明に加えて、制御部は、表示、照明および音声のうち少なくとも２つ以上が連動して作動するように制御するものとしている。
【００１１】
また、別の発明では、上述の発明に加えて、移動手段に搭載されるものとしている。
【００１２】
また、別の発明では、上述の発明に加えて、制御部は、表示部および／または音声出力部に信号を送り、注意喚起あるいは誘導案内するように制御するものとしている。
【００１３】
また、別の発明では、上述の発明加えて、表示部に、非常時誘導表示部を含むものとしている。
【００１４】
また、別の発明では、情報を表示あるいは照光の少なくともいずれか一方を可能にするための表示部と、音声を出力するための音声出力部を有すると共に、制御部により、表示部および音声出力部のうち少なくとも１つを動作させるように制御されるエレクトロルミネッセンスパネルとしている。
【発明の効果】
【００１５】
本発明によれば、表示装置と発音装置の設置スペースを小さくし、複雑なメンテナンスおよび表示と音声の解離に伴う混乱を低減するエレクトロルミネッセンスパネルシステムおよびエレクトロルミネッセンスパネルを提供できる。
【発明を実施するための最良の形態】
【００１６】
以下、本発明のエレクトロルミネッセンスパネルスピーカの一例として、第１の実施の形態に係る有機エレクトロルミネッセンスパネルスピーカ１（以後、有機ＥＬパネルスピーカ１という。）について説明する。なお、図の簡略化のため、図１以外の図において後述のスタンド２の図示を省略している。また、以下の説明において、有機ＥＬパネルスピーカ１が発音する方向を、Ｙ１方向とし、その反対側をＹ２方向として説明を行う。
【００１７】
図１は、有機ＥＬパネルスピーカ１をＹ１方向から見た時の、外観の構成を示す全体斜視図である。
【００１８】
本実施の形態において、非常の際に避難口へ誘導および案内するための有機ＥＬパネルスピーカ１は、この有機ＥＬパネルスピーカ１を固定等するためのスタンド２と、本体部１０とを主に有する。
【００１９】
本実施の形態において、Ｙ方向に延伸する２つのスタンド２は、本体部１０のＺ２方向側の面に離間して固定されている。また、スタンド２のＺ２方向の面は、平滑な面に面一である。そのため、スタンド２のＺ２方向の面を床上等に置く、あるいは床上等で床とスタンド２のＺ２方向の面とを固定することを可能とする。
【００２０】
なお、上述のスタンド２は、Ｚ１方向側の面に配置されていて、天井に固定されるようなものであってもよい。また、上述のスタンド２がＸ１方向側、Ｘ２方向側あるいはＹ２方向側に配置されていて、壁面に固定されるようなものであってもよい。さらに、ネジ等で有機パネルスピーカ１を壁面等に固定できるように、スタンド２には、ネジを挿入するためのＺ方向に貫通する貫通孔が設けられていてもよい。また、スタンド２は、後述の前フレームあるいは後フレームと一体として形成されているものであってもよい。
【００２１】
本実施の形態において、本体部１０をＹ１方向から見ると、後述の前フレーム１２の開口部から有機ＥＬパネル部２０が露出している。また、有機ＥＬパネル部２０のＹ１方向の面には、消防法で定められた非常時誘導用の案内マーク（非常時誘導表示部の一例）４が貼り付けられている。
【００２２】
案内マーク４は、例えば、厚さ０．１ｍｍで、片側の面に粘着剤が被覆された、緑色の光透過性樹脂フィルムを、案内マーク４の形状に切り抜く。そしてその切り抜かれた案内マーク４の粘着剤が形成されている面を、有機ＥＬパネル部２０に対向させて貼り付ける。このようにすると、有機ＥＬパネル部２０が発光した場合に、案内マーク４が明瞭に認識できる。
【００２３】
図２は、図１の有機ＥＬパネルスピーカ１をＹ２方向側（裏側）から見た場合の分解斜視図である。
【００２４】
有機ＥＬパネルスピーカ１の本体部１０は、有機ＥＬパネル部２０、有機ＥＬパネル部２０のＹ方向両側に１枚ずつ配置されるクッション材１１、前フレーム１２およびボイスコイル型振動装置４０を構成する磁気回路構成体５０、ボイスコイル６０および後フレーム７０を主に有する。
【００２５】
前フレーム１２は、内側、すなわちＹ２方向側に有機ＥＬパネル部２０を保持することができる矩形の枠体として構成され、有機ＥＬパネル部２０の表示面に対応する部分は開口部１３として形成されている。前フレーム１２の内周には開口部１３の全周に亘って内側に向かって延設される延設部１５が形成されている。なお、前フレーム１２は、例えば、アルミニウム材から形成され、前フレーム１２の外周のＺ方向の長さＴ２１とＸ方向の長さＳ２１が各１５７．５ｍｍ、Ｚ方向の厚さＤ２１が８ｍｍであり、また、内周のＺ方向の長さＴ２２とＸ方向の長さＳ２２が各１３８．０ｍｍとなっている。前フレーム１２は、その内側に、Ｘ方向およびＺ方向の長さが１３７．５ｍｍの正方形の有機ＥＬパネル部２０を収容することができるように構成されている。開口部１３のＺ方向の長さＴ２３とＸ方向の長さＳ２３は、各１２０ｍｍであり、前フレーム１２は、９．７５ｍｍ幅（図中Ｗ２１で示される距離）の枠体である。また、延設部１５は、幅９ｍｍ（Ｗ２２で示される距離）で形成されている。
【００２６】
図３は、有機ＥＬパネル部２０をＹ２方向から見た場合の平面図である。また、図４は、図３の有機ＥＬパネル部２０をＡ−Ａ線で切断した場合の断面を示す図である。なお、後述の入力端子部２６および入力端子部４６に接続され、透明電極層２９および金属電極層４９に電力を供給するためのリード線については図示を省略している。
【００２７】
有機ＥＬパネル部２０は、図３に示すように、例えば、Ｚ方向の長さＴ１３とＸ方向の長さＳ１３が各１３７．５ｍｍの略正方形の透明なガラス基板２１上に、透明電極層２９（陽極）、有機発光層３９、反射層を兼ねる金属電極層４９（陰極）の順で積層されて、有機ＥＬパネル本体２２を形成している。透明電極層２９、有機発光層３９、金属電極層４９からなる層を、積層部２７という。さらに、この有機ＥＬパネル本体２２の上に配設される吸湿用シート２３と封止板２４とを有する。また、ガラス基板２１と封止板２４と間の空間２５には窒素ガスが封入され、空気が封入されている場合とは異なる音響特性に設定されている。空間２５に封入するガスを適宜選択することでガスの種類に応じた音響特性を得ることができる。
【００２８】
ガラス基板２１は、例えばＹ方向の厚さＤ１１が０．７ｍｍ、Ｚ方向の長さＴ１１とＸ方向の長さＳ１１が各３００ｍｍであるガラス製の板を用いることができる。
【００２９】
透明電極層２９は、例えばインジウム・スズ酸化物（Ｉｎｄｉｕｍ  Ｔｉｎ  Ｏｘｉｄｅ）あるいはインジウム・亜鉛酸化物（Ｉｎｄｉｕｍ  Ｚｉｎｃ  Ｏｘｉｄｅ）が約１３０ｎｍの膜厚で形成されている。本実施の形態ではインジウム・スズ酸化物を使用している。有機発光層３９は、低分子化合物、具体的には陽極の透明電極層２９側からホール輸送層として約６０ｎｍのビス〔Ｎ−（１−ナフチル）−Ｎ−フェニル〕ベンジジンと電子輸送層兼発光層として約７０ｎｍのトリス（キノリノラト）アルミニウム錯体、および電子注入層として約１ｎｍのフッ化リチウムからなる層を重ねた成膜層から形成されている。金属電極層４９は、アルミニウムが約１２０ｎｍの膜厚で形成されている。これらの各層２９、３９、４９は、例えば、真空蒸着法に代表される薄膜形成方法により、Ｚ方向の長さＴ１２とＸ方向の長さＳ１２が各１２２ｍｍの略正方形形状に形成される。透明電極層２９の一辺部には入力端子部２６が、金属電極層４９の一辺部には入力端子部４６が、それぞれ突出して形成され、入力端子部２６と入力端子部４６は積層部２７の縁部から突出するようになっている。
【００３０】
２枚の吸湿用シート２３は、例えば、Ｙ方向の厚さが０．３ｍｍ、Ｚ方向の長さが４０ｍｍ、Ｘ方向の長さが３０ｍｍの大きさである。２枚の吸湿用シート２３は、空間２５の間隙を設けて、後述の封止板２４の凹部に並んで収容される。また、吸湿用シート２３の片面は、予め粘着層を有し、吸湿用シート２３は、粘着層の設けられている面を封止板２４側に向けて凹部に収容される。したがって、吸湿用シート２３は、金属電極層４９に接するように配置される。
【００３１】
封止板２４は、例えばガラス材から形成され、一方の面に大きな正方形の凹部（不図示）が形成され、この凹部に２枚の吸湿用シート２３が空間２５の間隙を設けて並んで収容される。封止板２４は、例えばＹ方向の厚さが１ｍｍでＺ方向の長さとＸ方向の長さが各１２７．６ｍｍの大きさである。凹部は、Ｙ方向の深さが０．３ｍｍでＺ方向の長さとＸ方向の長さが各１２２．６ｍｍにて形成されている。したがって、凹部の周囲には、封止板２４のＸ方向およびＺ方向の幅（１２７．６ｍｍ）と凹部のＸ方向およびＺ方向の幅（１２２．６ｍｍ）の差分が周縁部２８として形成される。本実施の形態では２．５ｍｍ幅で周縁部２８が形成されている。
【００３２】
封止板２４は、積層部２７の全面が凹部の下側に位置するように有機ＥＬパネル本体２２上に配置され、封止板２４の周縁部２８は、ガラス基板２１に当接した状態となる。また、封止板２４の周縁部２８とガラス基板２１との当接部分は、接着剤（不図示）により固着し封止されている。したがって、積層部２７および吸湿用シート２３は、ガラス基板２１と封止板２４との間で封止状態とされている。
【００３３】
上述したように構成された有機ＥＬパネル部２０では、有機発光層３９で発光した光が、透明電極層２９を介してガラス基板２１側に出射すると共に金属電極層４９で反射し、ガラス基板２１側から出射する。つまり、有機ＥＬパネル部２０は、いわゆるボトムエミッション型の有機ＥＬパネルとして構成されている。
【００３４】
有機ＥＬパネル部２０のＹ方向両側に配置されるクッション材１１は、例えば、独立発泡のウレタン材から形成される薄いシート状であり、前フレーム１２の枠体の内側に延設部１５の全周に亘って重ねて配設できる大きさの矩形の枠体である。クッション材１１は、クッション材１１を延設部１５に重ねて配設した際に延設部１５からはみ出ないように、延設部１５の外周よりやや小さく、かつ、延設部１５の内周より大きくなっている。
【００３５】
ボイスコイル型振動装置４０は、図２に示すように、磁気回路構成体５０とボイスコイル６０とを有する。ボイスコイル６０は円筒状のボビン部６１とこのボビン部６１の一端側に形成されるフランジ部６３とを有し、ボビン部６１の周囲に導線が巻回されコイル部６２が形成されている。コイル部６２はボビン部６１に対し前後に移動しないようにしっかりと巻回される。また、必要に応じて接着剤によりボビン部６１とコイル部６２とを固着することで、コイル部６２をボビン部６１に対して固定するようにしてもよい。
【００３６】
図５は、有機ＥＬパネルスピーカ１をＹ２側から見た場合の平面図である。図６は、図５のＢ−Ｂ線で切断した場合の断面を説明する拡大断面図である。また、図７は、図６の点線で示す範囲Ｃを拡大して示す拡大断面図である。
【００３７】
磁気回路構成体５０は、図７に示すように、プレート５４と、マグネット５５と、ヨーク５６とを有する。プレート５４は、円盤状を呈し、磁性材である鉄材から形成されている。マグネット５５はリング状を呈し、ネオジムを含む合金から構成されている。ヨーク５６は、円盤部５１と円筒部５２とを有し、いわゆる壷ヨークと称される形体のものである。なお、円盤部５１は、円筒部５２より大きな直径で構成され、ヨーク５６には円盤部５１が円筒部５２の外周から突出した部分がフランジ部５７として形成されている。
【００３８】
マグネット５５の外周の直径は、ヨーク５６の円筒部５２の内周より小さな直径に形成されている。そして、マグネット５５は、マグネット５５の外周面とヨーク５６の円筒部５２の内周面との間に、外周面の全周に亘って均一な間隙５８が存在するように配設されている。
【００３９】
また、プレート５４の外周の直径も、ヨーク５６の円筒部５２の内周より小さな直径に形成されている。プレート５４は、ヨーク５６の円筒部５２の内周面とプレート５４の外周面との間に、プレート５４の外周面の全周に亘って均一な間隙５９が磁気ギャップとして存在するように配置され、マグネット５５に対して固定されている。
【００４０】
磁気回路構成体５０とボイスコイル６０とは、磁気ギャップとしての間隙５９内にコイル部６２およびボビン部６１が、プレート５４および円筒部５２に接触することなく挿入できるように構成されている。例えば、本実施の形態に係る有機ＥＬパネルスピーカ１においては、ヨーク５６の円筒部５２の内周の直径Ｌ２１を２５．５４ｍｍ、プレート５４の直径Ｌ２６を２４．２ｍｍとすることで、間隙５９の幅を０．６７ｍｍとしている。また、ボイスコイル６０のボビン部６１の内周の直径Ｌ２３を２４．４ｍｍとし、ボビン部６１のコイル部６２を含めた外周の直径Ｌ２４を２５．３４ｍｍとしている。
【００４１】
このようにすることで、ボビン部６１の内周側にプレート５４をボビン部６１の内周面に対して０．１ｍｍの間隔を有して挿入でき、かつ、間隙５９に、コイル部６２およびボビン部６１を円筒部５２の内周面に対して０．１ｍｍの間を有して挿入することができる。なお、ヨーク５６の円筒部５２の外周の直径Ｌ２５は２９．９８ｍｍであり、円筒部５２の開口端から円盤部５１までの内側の深さＤ２２は５．５ｍｍとなっている。また、マグネット５５は、厚さＤ２３が３ｍｍ、外周の直径Ｌ２６が２３ｍｍ、そして内周の直径Ｌ２７が１０ｍｍとなっている。また、プレート５４は、厚さＤ２４が２ｍｍとなっている。ボイスコイル６０のコイル部６２の巻幅Ｄ２５は３ｍｍであり、インピーダンスは４Ωに設定されている。
【００４２】
後フレーム７０は、矩形の外枠部と、この外枠部の内側に設けられ外枠部の対向する辺部分を繋ぐ十字状の内枠部７２とを有する。また、外枠部の前面側には、外枠部に沿って枠状に形成されるリブ部７３（図１０および図１１参照）が形成されている。外枠部の外周のＺ方向の長さＴ２４とＸ方向の長さＳ２４は、例えば、各１５７．５ｍｍである。また、リブ部７３の外周のＺ方向の長さＴ２５とＸ方向の長さＳ２５は、例えば、各１３７．０ｍｍである。そして、リブ部７３の内周側段部の前後方向の厚さＤ２６は、例えば、８ｍｍで形成されている。外枠部と内枠部７２は、共に幅広面に形成され、図２に示すように、内枠部７２の中央には磁気回路構成体５０のヨーク５６の円筒部５２が挿入される円形の開口部７５が形成されている。例えば、内枠部７２のＸ方向の幅Ｗ２４は、開口部７５が形成される部分を除いて、例えば、２５ｍｍで形成されている。内枠部７２の開口部７５が形成される部分は、開口部７５の直径Ｌ２８を、ヨーク５６の円筒部５２が挿入することができる大きさにできるように、幅広に形成されている。開口部７５の直径Ｌ２８は、例えば、３０ｍｍである。
【００４３】
内枠部７２は十字状であるため外枠部の内側と内枠部７２との間には矩形の４つの開口部７４が形成されている。開口部７４は、外枠部の４隅方向に配置され、かつ、開口部７５に対して中心対称となる位置に配置されている。
【００４４】
なお、上述の構成の後フレーム７０は、例えば、矩形の板体を、開口部７４と開口部７５に対応する部分をくり抜く等して製作されるもので、外枠部と内枠部７２とは一体に構成されている。このように外枠部に対して内枠部７２が形成されていることで、後フレーム７０は変形に対して剛性が高められている。
【００４５】
以上のような構成の有機ＥＬパネルスピーカ１は、コイル部６２に接続されるリード線（不図示）からオーディオ信号を入力すると、ボイスコイル型振動装置４０が駆動される。すなわち、ボイスコイル６０が磁気回路構成体５０に対して振動する。ボイスコイル６０が振動すると、この振動が封止板２４に伝わり、その結果、有機ＥＬパネルスピーカ１全体が振動し、光の出射面となるガラス基板２１面から音が発音される。
【００４６】
このように、表示部と音声出力部とによって本体部１０を構成しているため、人々の注意喚起を効果的に行える。より具体的には、表示と音声とが解離して混乱を招くという問題を生じることがない。例えば、煙等で視界が悪い場合等でも、音声の方向へ進むことで、非常口を発見することが容易になる。また、表示部と音声出力部とから本体部１０を構成しているため、設置スペースを小さくできる。
【００４７】
また、音声を拡声するための振動板として、有機ＥＬパネル部２０を用いるため、別途、振動板を用いる必要がなく、軽量で、かつ、取り付ける場所が限定されにくい。
【００４８】
また、有機ＥＬパネルスピーカ１は、ボイスコイル型振動装置４０のうち、重量の大きな磁気回路構成体５０が後フレーム７０に保持されているため、封止板２４を薄くすることができ発音効率を高くすることができる。
【００４９】
また、上述の有機ＥＬパネルスピーカ１の有機ＥＬパネル部２０は、上述したように、前フレーム１２と後フレーム７０の外枠部において周囲が保持されている。有機ＥＬパネル部２０は周囲において変形しやすい。このため、前フレーム１２と後フレーム７０の外枠部とにより前後から保持されることで、効果的に有機ＥＬパネル部２０の変形を抑えることができる。また、後フレーム７０は、十字状の内枠部７２を設けることで剛性が高められているため、有機ＥＬパネル部２０の変形を一層抑えることができる。
【００５０】
また、上述の有機ＥＬパネルスピーカ１の有機ＥＬパネル部２０は、クッション材１１を介して前フレーム１２と後フレーム７０との間に保持されている。そのため、前フレーム１２と後フレーム７０とが互いにねじ８１により固定されることにより前フレーム１２と後フレーム７０との間に作用する有機ＥＬパネル部２０の押圧力を、クッション材１１にて緩和することができ、有機ＥＬパネル部２０の変形を防止することができる。また、クッション材１１を備えることで、低音域帯における再生周波数を聴感上、好適なものとすることができる。
【００５１】
次に、上述の有機ＥＬパネルスピーカ１の製造方法について説明する。図８から図１１は、有機ＥＬパネルスピーカ１の各製造工程を説明するための説明図である。
【００５２】
まず、有機ＥＬパネル部２０を作製する。有機ＥＬパネル部２０は、ガラス基板２１の上に積層部２７を、スパッタリング等で４箇所に形成する。例えば、図８に示すように、厚さＤ１１が０．７ｍｍで縦Ｔ１１と横Ｓ１１が各３００ｍｍであるガラス基板２１の上に、縦Ｔ１２と横Ｓ１２が各１２２ｍｍの積層部２７を形成する。なお、透明電極層２９の一辺部には入力端子部２６が、金属電極層４９の一辺部には入力端子部４６が、それぞれ突出して形成され、入力端子部２６と入力端子部４６は積層部２７の縁部から突出するように各層２９、３９、４９が形成される。
【００５３】
ガラス基板２１に積層部２７を形成した後、図９に示すように、各積層部２７毎にガラス基板２１を分割し、縦長Ｔ１３と横長Ｓ１３が各１３７．５ｍｍの正方形の有機ＥＬパネル本体２２を切り出す。
【００５４】
次に、図１０に示すように、粘着シートが装着されている吸湿用シート２３の面を封止板２４側に向けて凹部に収容する。すなわち、吸湿用シート２３は、封止板２４の凹部内に固定された状態となる。
【００５５】
次に、図１１にて説明されるように、吸湿用シート２３が収容された封止板２４を、吸湿用シート２３側を金属電極層４９に向けて、積層部２７の全面が凹部の下側に位置するように有機ＥＬパネル本体２２上に配置する。封止板２４を積層部２７の全面が凹部の下側に位置するように有機ＥＬパネル本体２２上に配置すると、多少の弾性を有する吸湿用シート２３は、ゆるく変形し、周縁部がガラス基板２１に当接した状態となる。したがって、封止板２４の周縁部とガラス基板２１との当接部を接着剤により固着し封止することで、積層部２７はガラス基板２１と封止板２４との間で封止状態とされる。
【００５６】
次に、一方のクッション材１１を前フレーム１２の内側の延設部１５の上に重ねて配置する。そして、クッション材１１が配置された前フレーム１２の内側に、有機ＥＬパネル部２０を配置する。有機ＥＬパネル部２０は、クッション材１１を介在してガラス基板２１の周囲を延設部１５により支持された状態で、前フレーム１２に配置される。
【００５７】
続いて、前フレーム１２の内側に収容されている有機ＥＬパネル部２０の周辺の上にもう一方のクッション材１１を配置する。そして、ボイスコイル６０を有機ＥＬパネル部２０の上に配置する。そして、後フレーム７０を、リブ部７３が前フレーム１２の内側に嵌合されるように前フレーム１２の上に載置する。
【００５８】
ボイスコイル６０と後フレーム７０とは、ボイスコイル６０を、後フレーム７０の前面側から開口部７５にコイル部６２を通した状態にして、ボイスコイル６０の有機ＥＬパネル部２０への載置と、後フレーム７０の前フレーム１２への載置とを行う。リブ部７３を前フレーム１２の内側に嵌合させることで、有機ＥＬパネル部２０が、前フレーム１２の延設部１５とリブ部７３との間にクッション材１１を介して挟み込まれた状態となり、有機ＥＬパネル部２０は前フレーム１２と後フレーム７０とに保持されることになる。
【００５９】
次に、後フレーム７０の外枠部に形成される複数の貫通穴８２にそれぞれねじ８１を通して、このねじ８１を前フレーム１２の背面に形成されるねじ孔１４にるい合することで、後フレーム７０を前フレーム１２に対して固定する。後フレーム７０を前フレーム１２に固定した後、治具を用いてコイル部６２の周側面と開口部７５の内側面との間の間隔が、コイル部６２の全周に亘って均一になるように、ボイスコイル６０の位置決めを行い、この位置決めされている状態で、ボイスコイル６０のフランジ部６３を有機ＥＬパネル部２０の封止板２４に対して接着固定する。
【００６０】
続いて、磁気回路構成体５０を、ヨーク５６の円筒部５２が開口部７５内に挿入されるようにして後フレーム７０に取り付ける。円筒部５２の内周面の直径Ｌ２１とプレート５４の直径Ｌ２６、およびボビン部６１の内周の直径Ｌ２３とコイル部６２を含めた部分の直径Ｌ２４とは上述したように構成されているため、円筒部５２を開口部７５内に挿入すると、ボビン部６１およびコイル部６２が、円筒部５２とプレート５４との間の磁気ギャップである間隙５９内に挿入されることになる。磁気回路構成体５０は、ヨーク５６の円筒部５２を開口部７５内に挿入するとフランジ部５７が後フレーム７０に当接することで前後方向の位置決めが行われる。そして、磁気回路構成体５０は、フランジ部５７を後フレーム７０に対して接着剤により固着することで後フレーム７０に対して固定され、図１に示す有機ＥＬパネルスピーカ１が構成される。
【００６１】
上記のように構成される有機ＥＬパネルスピーカ１は、コイル部６２に接続される図示を省略するリード線からオーディオ信号を入力するとボイスコイル型振動装置４０が駆動される。すなわち、ボイスコイル６０が磁気回路構成体５０に対して振動する。ボイスコイル６０が振動すると、この振動が封止板２４に伝わり、その結果、有機ＥＬパネルスピーカ１全体が振動し、光の出射面となるガラス基板２１面から音が発音する。
【００６２】
次に、上述の有機ＥＬパネルスピーカ１を用いた有機ＥＬパネルスピーカシステム１００について説明する。図１２は、有機ＥＬパネルスピーカシステム１００の構成を説明するブロック図である。
【００６３】
有機ＥＬパネルスピーカシステム１００は、有機ＥＬパネルスピーカ１、制御部２００、およびセンサ部３００から主に構成されている。
【００６４】
制御部２００は、有機ＥＬパネルスピーカシステム１００の制御を行う。制御部２００は、有機ＥＬパネルスピーカ１を発音させる制御を行う場合には、ボイスコイル６０に音声信号を印加する。また、制御部２００による制御の下、有機ＥＬパネルの入力端子部２６および入力端子部４６に電圧を印加することで、有機ＥＬパネルスピーカ１を照光させることができる。
【００６５】
また、制御部２００は、有機ＥＬパネルスピーカ１の表示が必要ない場合には、照光を行わなくてもよい。また、通常は照光のみ行い、例えば、緊急時にのみ、音声出力をするように制御することもできる。
【００６６】
本実施の形態におけるセンサ部３００は、光、ガス、煙、温度変化、振動、あるいは液状体の少なくとも１つを検出する。本実施の形態では、センサ部３００は、煙を検出すると、制御部２００へ信号を送出する。
【００６７】
上述のような有機ＥＬパネルスピーカシステム１００とすることで、通知する情報への注意喚起が必要な場合にのみ、照光、表示あるいは音声出力をするよう動作する有機ＥＬパネルスピーカシステム１００とすることができる。したがって、通常は、有機ＥＬパネルスピーカ１を煩く思うことがないが、緊急時等、その情報が必要である場合にのみ、その表示に注意が喚起されるような有機ＥＬパネルスピーカ１になる。
【００６８】
また、センサ部３００が煙等を検出することにより、火災等の場合に、注意喚起のための照光、表示あるいは音声出力を自動で開始できるものとすることができる。
【００６９】
次に、本発明に係る有機ＥＬパネルスピーカシステム１００の動作例について説明する。
【００７０】
火災等で煙が発生し、その煙がセンサ部３００に検出されると、センサ部３００は、制御部２００に信号を送出する。
【００７１】
制御部２００は、その信号により、有機ＥＬパネルスピーカ１を発光および音声出力を開始する。音声出力としては、例えば、「火災が発生しました。避難してください」等の音声を出力する。発光と音声出力の一例を同時に行うことにより、人々の注意を一層喚起できる。
【００７２】
以上、本発明の実施の形態について述べたが、本発明は、これらの実施の形態に限定されることなく、種々の変形および組合せが可能である。
【００７３】
たとえば、本実施の形態では、制御部２００およびセンサ部３００を別途設けるものとしているが、このような形態に限らない。制御部２００またはセンサ部３００の一方または両方を有機ＥＬパネルスピーカ１と一体に設けても良い。
【００７４】
また、本実施の形態では、有機ＥＬパネルスピーカシステム１００は、センサ部３００を設けるものとしているが、センサ部３００は、必須ではない。しかし、センサ部３００を設けることにより、火災および地震等の非常事態を検出して作動できるものとなる。
【００７５】
また、本実施の形態では、非常時に非常口へ誘導および案内するために有機ＥＬパネルスピーカ１が機能するものとしているが、建物内部以外で用いてもよい。例えば、移動手段として、バス、車、飛行機、船あるいはその他の乗り物に設けても良い。さらに、非常用の誘導案内以外の用途に用いてもよい。例えば、バス車内等の案内に用いることが考えられる。その場合には、バスが走行中には、表示が非点灯の状態として、一方、バスの停車をセンサ部が検出した場合には、出口である旨の表示を点灯させることに加えて、バス停の名前と、降口への案内を音声として出力するような有機ＥＬパネルスピーカシステム１００とすることができる。また、さらに、建物や車両に固定されるものに限らず、携帯できるようなものとしてもよい。
【００７６】
また、本実施の形態においては、有機ＥＬパネル部は、案内マーク４の形状のフィルムを貼り付けられた有機ＥＬパネル部２０とすることで、表示されるものとしている。しかしこのような形態に限らない。例えば、インク等を用いて所定の形状を形成してもよいし、有機ＥＬの所定の部分を所望の色および形状で発光させてもよい。
【００７７】
また、本実施の形態においては、有機ＥＬパネル部２０の表示は、静止画であるものとしているが、このようなものに限らない。例えば、陰極と陽極を単純に交差させ，その交差部に有機ＥＬ素子を配置し，外付け駆動ＩＣにより瞬間的に電流を流して発光させる、いわゆるパッシブ型の有機ＥＬパネルスピーカあるいは、有機ＥＬ素子１つひとつに対して薄膜トランジスタを配し，このＴＦＴにより画素に流す電流量を制御しながら発光させる、いわゆるアクティブ型の有機ＥＬパネルスピーカ１とすることにより、動画を再生できるようにしてもよい。有機ＥＬパネルスピーカ１で動画を再生する場合には，瞬間的な最大輝度を小さくでき，これにより素子の寿命も長くなり，省電力化が容易になる。さらに、動画と音声、あるいは動画と照光を連動させることで、より効果的に人々の注意を喚起し、情報を通知できる表示となる。
【００７８】
例えば、有機ＥＬパネル部２０が表示を変化させることができる場合には、非緊急時には、白色の照明として有機ＥＬパネルスピーカ１を機能させることができる。一方、地震などの緊急時には、案内マーク４と同様のマークを表示し、かつ、音声によって案内を可能とする表示とすることができる。
【００７９】
また、本実施の形態においては、有機発光層３９を有する有機ELパネルスピーカ１としているが、エレクトロルミネッセンスを起こす材料として無機材料を用いる、無機ELパネルスピーカとしてもよい。無機ELパネルスピーカの場合には、有機発光層３９の代わりに、無機発光層を形成する。無機発光層としては、例えば、硫化亜鉛などの無機物の蒸着層を採用できる。有機ELパネルパネルスピーカ１は、低電力で高い輝度が得ることができるので、視認性を向上できることに加え、消費電力を少なくできる等の特徴がある。
【００８０】
また、本実施の形態においては、ボイスコイル型振動装置４０を有する有機ＥＬパネルスピーカ１としているが、他の振動アクチュエータを有する有機ＥＬパネルスピーカとすることも可能である。また、本実施の形態においては、ボトムエミッション型の有機ＥＬパネル部２０を例示したが、このようなものに限らない。例えば、トップエミッション型の有機ＥＬパネル２０としてもよい。また、各説明において例示した寸法等は、適宜当業者が設定できるものである。
【図面の簡単な説明】
【００８１】
【図１】本発明の実施の形態に係る有機ＥＬパネルスピーカの外観を示す斜視図である。
【図２】図１の有機ＥＬパネルスピーカをＹ２方向から見た場合の分解斜視図である。
【図３】図１の有機ＥＬパネルスピーカの有機ＥＬパネルをＹ２方向から見た場合の平面図である。
【図４】図３の有機ＥＬパネルをＡ−Ａ線で切断した場合の断面図である。
【図５】図１の有機ＥＬパネルスピーカをＹ２方向から見た外観を示す平面図である。
【図６】図５に示す有機ＥＬパネルスピーカを図のＢ−Ｂ線で切断した場合の断面図である。
【図７】図６のＣの部分を拡大した拡大断面図である。
【図８】図１の有機ＥＬパネルスピーカの有機ＥＬパネルの製造方法を説明する図である。
【図９】図１の有機ＥＬパネルスピーカの有機ＥＬパネルの製造方法を説明する図である。
【図１０】図１の有機ＥＬパネルスピーカの有機ＥＬパネルの製造方法を説明する図である。
【図１１】図１の有機ＥＬパネルスピーカの有機ＥＬパネルの製造方法を説明する図である。
【図１２】本発明の実施の形態に係る有機ＥＬパネルスピーカシステムの構成を説明するためのブロック図である。
【符号の説明】
【００８２】
１…有機ＥＬパネルスピーカ（エレクトロルミネッセンスパネルスピーカ）、４…案内マーク（非常時誘導表示）、２０…有機ＥＬパネル（表示部、音響出力部）、４０…ボイスコイル型振動装置（音響出力部）、１００…非常用誘導システム、２００…制御部、３００…センサ部
【図１】
2009301431.tif 000003
【図２】
2009301431.tif 000004
【図３】
2009301431.tif 000005
【図４】
2009301431.tif 000006
【図５】
2009301431.tif 000007
【図６】
2009301431.tif 000008
【図７】
2009301431.tif 000009
【図８】
2009301431.tif 000010
【図９】
2009301431.tif 000011
【図１０】
2009301431.tif 000012
【図１１】
2009301431.tif 000013
【図１２】
2009301431.tif 000014